(57)【特許請求の範囲】
【請求項１】
無線ネットワークのための装置（１００、１０１）であって、
少なくとも１つのプロセッサ（１０）と、
コンピュータプログラムコード（２４）を含む少なくとも１つのメモリ（２０）と、を含み、
前記少なくとも１つのメモリおよび前記コンピュータプログラムコードは、前記少なくとも１つのプロセッサとともに、前記装置に、
ある位置における無線装置（１１０）から、チャネル測定信号を受信するステップ（２００）と、
前記チャネル測定信号に基づき前記位置に対するプリコーディング係数を決定するステップ（２０２）と、
前記位置に関連付けられる前記プリコーディング係数を記憶するステップ（２０４）と、
センシングフェーズにおいて、前記位置に関連付けられる前記記憶されたプリコーディング係数を利用し、前記位置における１つまたは複数の対象物（１１３、１１４）を検出するステップ（２０６）と、を実行させることを特徴とする装置。
【請求項２】
前記少なくとも１つのメモリおよび前記コンピュータプログラムコードは、前記少なくとも１つのプロセッサとともに、前記装置に、前記無線装置または別の無線装置の複数の位置について、前記受信するステップ、前記決定するステップ、および前記記憶するステップを繰り返すことによって、前記複数の位置に対する異なるプリコーディング係数を前記複数の位置にマッピングするデータベースを構築させることを特徴とする請求項１に記載の装置。
【請求項３】
前記少なくとも１つのメモリおよび前記コンピュータプログラムコードは、前記少なくとも１つのプロセッサとともに、前記装置に、前記位置に無線ビームを向けるために送信機および受信機の少なくとも１つにプリコーディング係数を設定すること（７０６、７０８）によって、前記利用するステップを実行させることを特徴とする請求項１または２に記載の装置。
【請求項４】
前記少なくとも１つのメモリおよび前記コンピュータプログラムコードは、前記少なくとも１つのプロセッサとともに、前記装置に、前記位置において検出された無線装置がない場合に前記位置に関する情報を取得させることを特徴とする請求項１乃至３のいずれか１項に記載の装置。
【請求項５】
前記少なくとも１つのメモリおよび前記コンピュータプログラムコードは、前記少なくとも１つのプロセッサとともに、前記装置に、前記位置における送信機（１１４）から受信された信号を用いることによって前記位置に関する前記情報を取得させることを特徴とする請求項１乃至３のいずれか１項に記載の装置。
【請求項６】
前記少なくとも１つのメモリおよび前記コンピュータプログラムコードは、前記少なくとも１つのプロセッサとともに、前記装置に、前記信号を送信するために前記送信機を起動させる（９１０）ことを特徴とする請求項５に記載の装置。
【請求項７】
前記少なくとも１つのメモリおよび前記コンピュータプログラムコードは、前記少なくとも１つのプロセッサとともに、前記装置に、測位システムを用いることによって前記無線装置の前記位置を取得させることを特徴とする請求項１乃至６のいずれか１項に記載の装置。
【請求項８】
無線ネットワークを制御するための装置（１２０）であって、
少なくとも１つのプロセッサ（５０）と、
コンピュータプログラムコード（４２）を含む少なくとも１つのメモリ（４４）とを含み、
前記少なくとも１つのメモリとコンピュータプログラムコードは、前記少なくとも１つのプロセッサとともに、前記装置に、
１つまたは複数のアクセスノード（１００、１０１）は、少なくとも１つの位置における少なくとも１つの無線装置（１１０）から、少なくとも１つのチャネル測定信号を受信し、前記少なくとも１つのチャネル測定信号に基づいて、前記少なくとも１つの位置におけるプリコーディング係数を決定し、前記少なくとも１つの位置に関連付けられる前記プリコーディング係数を記憶する学習フェーズを実行するために前記無線装置の前記少なくとも１つのアクセスノードを制御するステップ（３０２）と、
前記少なくとも１つのアクセスノードを制御し、前記記憶されたプリコーディング係数が利用され、前記少なくとも１つの位置を検出し、１つまたは複数の対象物（１１３、１１４）に関する情報を取得する、センシングフェーズを実行するステップ（３１０）と、を実行させることを特徴とする装置。
【請求項９】
前記少なくとも１つのメモリおよび前記コンピュータプログラムコードは、前記少なくとも１つのプロセッサとともに、前記装置に、前記少なくとも１つのアクセスノードから、前記プリコーディング係数が決定された前記少なくとも１つの位置に関する情報を取得させ、前記少なくとも１つの位置にある前記１つまたは複数の対象物（１１３、１１４）のために前記少なくとも１つの位置を検出することを決定させ、前記決定に基いて前記センシングフェーズを実行するために前記少なくとも１つのアクセスノードを制御する前記ステップを実行させることを特徴とする請求項８に記載の装置。
【請求項１０】
前記少なくとも１つのメモリおよび前記コンピュータプログラムコードは、前記少なくとも１つのプロセッサとともに、前記装置に、信号をある位置に送信するために第１のアクセスノードのプリコーディング係数を設定することによって、および前記位置から前記信号を受信するために第２のアクセスノードのプリコーディング係数を設定することによって、前記位置を検出するための複数のアクセスノードを制御させることを特徴とする請求項８または９に記載の装置。
【請求項１１】
前記少なくとも１つのメモリおよび前記コンピュータプログラムコードは、前記少なくとも１つのプロセッサとともに、前記装置に、前記第１のアクセスノードおよび前記第２のアクセスノードの両方が前記位置に対する前記プリコーディング係数を確立したという記憶がされた情報に基づき、前記第１のアクセスノードおよび前記第２のアクセスノードを選択することを特徴とする請求項１０に記載の装置。
【請求項１２】
前記少なくとも１つのメモリおよび前記コンピュータプログラムコードは、前記少なくとも１つのプロセッサとともに、前記装置に、前記位置において検出された無線装置がない場合に前記位置に関する情報を取得することを特徴とする請求項８乃至１１のいずれか１項に記載の装置。
【請求項１３】
無線ネットワークのアクセスノード（１００、１０１）のための方法であって、
ある位置における無線装置から前記アクセスノードによって、チャネル測定信号を受信するステップ（２００）と、
前記アクセスノードによって、前記チャネル測定信号に基づき前記位置に対するプリコーディング係数を決定するステップ（２０２）と、
前記位置に関連付けられる前記プリコーディング係数を記憶するステップ（２０４）と、
センシングフェーズにおいて前記アクセスノードによって、前記位置に関連付けられる前記記憶されたプリコーディング係数を利用し、前記位置における１つまたは複数の対象物を検出するステップ（２０６）と、を含むことを特徴とする方法。
【請求項１４】
無線ネットワークを制御するための方法であって、
１つまたは複数のアクセスノード（１００、１０１）は、少なくともある位置における少なくとも１つの無線装置（１１０）から、少なくとも１つのチャネル測定信号を受信し、前記少なくとも１つのチャネル測定信号に基づいて、少なくとも前記位置におけるプリコーディング係数を決定し、少なくとも前記位置に関連付けられる前記プリコーディング係数を記憶するステップである学習フェーズを実行するために前記無線装置の前記少なくとも１つのアクセスノードを制御するステップ（３０２）と、
前記少なくとも１つのアクセスノードを制御し、前記記憶されたプリコーディング係数が利用され、前記少なくとも１つの位置を検出し、１つまたは複数の対象物（１１３、１１４）に関する情報を取得する、センシングフェーズを実行するステップ（３１０）と、を含むことを特徴とする方法。
【発明の詳細な説明】
【技術分野】
【０００１】
様々な実施形態例は、無線ネットワークに関連し、特に、位置センシングを実行する無線ネットワークに関する。
【背景技術】
【０００２】
無線通信の分野では、従来の無線通信の目的に加えて、無線装置をセンサレスセンシングに使用することができる。センサレスセンシングとは、対象物を検出するための専用センサを使用せずに物体を測定するシナリオを指す。センサレスセンシングを向上する解決策を提供することは有益である。
【発明の概要】
【０００３】
一態様によれば、独立クレームの主題が提供される。従属クレームはいくつかの実施態様を定義する。
【０００４】
独立クレームの範囲に該当しない、本明細書に記載された実施形態及び特徴は、本発明の様々な実施形態を理解するために有用な例として解釈されるべきである。本開示のいくつかの態様は、独立クレームによって定義される。
【０００５】
一態様によれば、無線ネットワークのための装置であって、ある位置における無線装置から前記装置によって、チャネル測定信号を受信するステップと、前記チャネル測定信号に基づき前記位置におけるプリコーディング係数を決定するステップと、前記位置に関連付けられる前記プリコーディング係数を記憶するステップと、前記位置に関する情報を取得するために前記プリコーディング係数を利用するステップと、を含む手段を実行するための無線ネットワーク装置が提供される。
【０００６】
一実施形態によれば、前記手段は、前記無線装置または別の無線装置の複数の位置について前記受信するステップ、前記決定するステップ、および前記記憶するステップを繰り返すことによって、様々なプリコーディング係数を前記複数の位置にマッピングするデータベースを構築する。
【０００７】
一実施形態によれば、前記手段は、さらに前記位置に無線ビームを向けるために送信機および受信機の少なくとも１つにプリコーディング係数を設定することによって、前記利用するステップを実行する。
【０００８】
一実施形態によれば、前記手段は、前記位置で検出された無線装置がない場合に前記位置に関する前記情報を取得する。
【０００９】
一実施形態によれば、前記手段は、前記位置における送信機から受信された信号を用いることによって前記位置に関する前記情報を取得する。
【００１０】
一実施形態によれば、前記手段は、前記信号を送信するために前記送信機を起動させる。
【００１１】
一実施形態によれば、前記手段は、さらに測位システムを用いることによって前記無線装置の前記位置を取得する。
【００１２】
一実施形態によれば、前記手段は、少なくとも１つのプロセッサと、コンピュータプログラムコードを含む少なくとも１つのメモリとを含み、前記少なくとも１つのメモリおよび前記コンピュータプログラムコードは、前記少なくとも１つのプロセッサとともに、前記装置の前記実行をさせるように構成される。
【００１３】
一態様によれば、無線ネットワークを制御するための装置であって、１つまたは複数のアクセスノードは、少なくとも１つの位置における少なくとも１つの無線装置から、少なくとも１つのチャネル測定信号を受信し、前記少なくとも１つのチャネル測定信号に基づいて前記少なくとも１つの位置におけるプリコーディング係数を決定し、前記少なくとも１つの位置に関連付けられる前記プリコーディング係数を記憶する学習フェーズを実行するために前記無線装置の前記少なくとも１つのアクセスノードを制御するステップと、前記少なくとも１つの位置に関する情報を取得するために前記プリコーディング係数が利用されるセンシングフェーズを実行するために前記少なくとも１つのアクセスノードを制御するステップとを含む手段を実行するための装置が提供される。
【００１４】
一実施形態によれば、前記手段は、前記少なくとも１つのアクセスノードから、前記プリコーディング係数が決定された前記少なくとも１つの位置に関する情報を取得し、前記少なくとも１つの位置における１つまたは複数の対象物の前記少なくとも１つの位置を検出することを決定し、前記決定に基いて前記センシングフェーズを実行するために前記少なくとも１つのアクセスノードを前記制御するステップを実行する。
【００１５】
一実施形態によれば、前記手段は、さらにある位置に信号を送信するために第１のアクセスノードのプリコーティング係数を設定することによって、および前記位置から前記信号を受信するために第２のアクセスノードのプリコーディング係数を設定することによって、前記位置を検出するための複数のアクセスノードを制御する。
【００１６】
一実施形態によれば、前記手段は、前記第１のアクセスノードおよび前記第２のアクセスノードの両方が前記位置に対する前記プリコーディング係数を確立したという記憶がされた情報に基づき、前記第１のアクセスノードおよび前記第２のアクセスノードを選択する。
【００１７】
一実施形態によれば、前記手段は、前記位置において検出された無線装置がない場合に、前記少なくとも１つのアクセスノードが前記位置に関する情報を取得させる。
【００１８】
一実施形態によれば、前記手段は、少なくとも１つのプロセッサと、コンピュータプログラムコードを含む少なくとも１つのメモリとを含み、前記少なくとも１つのメモリと前記コンピュータプログラムコードは、前記少なくとも１つのプロセッサとともに、前記装置の前記実行をさせる。
【００１９】
一態様によれば、無線ネットワークのアクセスノードのための方法であって、ある位置における無線装置から前記アクセスノードによって、チャネル測定信号を受信するステップと、前記アクセスノードによって、前記チャネル測定信号に基づき前記位置におけるプリコーディング係数を決定するステップと、前記アクセスノードによって、前記位置に関連付けられる前記プリコーディング係数を記憶するステップと、前記アクセスノードによって、前記位置に関する情報を取得するために前記プリコーディング係数を利用するステップと、を含む方法が提供される。
【００２０】
一実施形態によれば、前記アクセスノードは、前記無線装置あるいは別の無線装置のある複数の位置において前記受信するステップと、前記決定するステップと、前記記憶するステップと、を繰り返すことによって、前記複数の位置における異なるプリコーディング係数をマッピングするデータベースを構築する。
【００２１】
一実施形態によれば、前記アクセスノードは、無線ビームを前記位置に向けるために、プリコーディング係数を送信機および受信機の少なくとも１つに設定することによって前記利用するステップを実行する。
【００２２】
一実施形態によれば、前記アクセスノードは、前記位置で検出された無線装置がない場合に前記位置に関する前記情報を取得する。
【００２３】
一実施形態によれば、前記アクセスノードは、前記位置における送信機から受信された信号を用いることによって前記位置に関する前記情報を取得する。
【００２４】
一実施形態によれば、前記アクセスノードは前記信号を送信するために前記送信機を起動させる。
【００２５】
一実施形態によれば、前記アクセスノードは、測位システムを用いることで前記無線装置の前記位置を取得する。
【００２６】
一態様によれば、無線ネットワークを制御するための方法であって、１つまたは複数のアクセスノードは、少なくとも１つの位置における少なくとも１つの無線装置から、少なくとも１つのチャネル測定信号を受信し、前記少なくとも１つのチャネル測定信号に基づいて前記少なくとも１つの位置におけるプリコーディング係数を決定し、前記少なくとも１つの位置に関連付けられる前記プリコーディング係数を記憶する学習フェーズを実行するために前記無線装置の前記少なくとも１つのアクセスノードを制御するステップと、前記少なくとも１つの位置に関する情報を取得するために前記プリコーディング係数が利用されるセンシングフェーズを実行するために前記少なくとも１つのアクセスノードを制御するステップとを含む方法が提供される。
【００２７】
一実施形態によれば、前記方法は、前記少なくとも１つの位置における１つまたは複数の対象物のため前記少なくとも１つの位置を検出し、前記決定に基いて前記センシングフェーズを実行するために前記少なくとも１つのアクセスノードを前記制御するステップを実行するために、前記少なくとも１つのアクセスノードから、前記プリコーディング係数が決定された前記少なくとも１つの位置に関する情報を取得するステップを含む。
【００２８】
一実施形態によれば、前記方法は、ある位置に信号を送信するために第１のアクセスノードのプリコーティング係数を設定することによって、および前記位置から前記信号を受信するために第２のアクセスノードのプリコーディング係数を設定することによって、前記位置を検出するための複数のアクセスノードを制御するステップを含む。
【００２９】
一実施形態によれば、前記方法は、前記第１のアクセスノードおよび前記第２のアクセスノードの両方が前記位置に対する前記プリコーディング係数を確立したという記憶がされた情報に基づき、前記第１のアクセスノードおよび前記第２のアクセスノードを選択するステップを含む。
【００３０】
一実施形態によれば、前記方法は、前記場所において検出された無線装置がない場合に、前記少なくとも１つのアクセスノードが前記場所に関する情報を取得させるステップを含む。
【００３１】
一態様によれば、コンピュータによって読み取り可能な流通媒体に具体化され、前記コンピュータによって実行されたときに、無線ネットワークのアクセスノードのためにコンピュータプロセスを実行させるコンピュータプログラムコードを含み、前記コンピュータプロセスは、ある場所における無線装置から前記アクセスノードによって、チャネル測定信号を受信するステップと、前記アクセスノードによって、前記チャネル測定信号に基づき前記位置におけるプリコーディング係数を決定するステップと、前記アクセスノードによって、前記位置に関連付けられる前記プリコーディング係数を記憶するステップと、前記アクセスノードによって、前記位置に関する情報を取得するために前記プリコーディング係数を利用するステップと、を含むコンピュータプログラム製品が提供される。
【００３２】
一態様によれば、コンピュータによって読み取り可能な流通媒体に具体化され、前記コンピュータによって実行されたときに、無線ネットワークのコントローラのためにコンピュータプロセスを実行させるコンピュータプログラムコードを含み、前記コンピュータプロセスは、前記１つまたは複数のアクセスノードは、少なくとも１つの位置にある少なくとも１つの無線装置から、少なくとも１つのチャネル測定信号を受信し、前記少なくとも１つのチャネル測定信号に基づき、前記少なくとも１つの位置におけるプリコーディング係数を決定し、前記少なくとも１つの位置に関連付けられる前記プリコーディング係数を記憶する学習フェーズを実行するために無線ネットワークの少なくとも１つのアクセスノードを制御するステップと、前記プリコーディング係数が、前記少なくとも１つの位置に関する情報を取得するために利用されるセンシングフェーズを実行するために前記少なくとも１つのアクセスノードを制御するステップと、を含むコンピュータプログラム製品が提供される。
【００３３】
１つまたは複数の実施例が、添付の図面および実施形態の説明においてより詳細に説明される。
いくつかの実施形態は添付の図面を参照して説明される。
【図面の簡単な説明】
【００３４】
【図１】本発明の実施形態が提要され得る例示的な無線通信システムを示す。
【図２】一実施形態による位置センシングのためのフロー図を示す。
【図３】他の一実施形態による位置センシングのためのフロー図を示す。
【図４】本発明の実施形態が適用され得る無線環境の一例を示す。
【図５】一実施形態による学習フェーズのシグナリング図を示す。
【図６】ある位置に無線装置が存在しない状況において、その位置に向けられた検出を実行するための実施形態を示す。
【図７】ある位置に無線装置が存在しない状況において、その位置に向けられた検出を実行するための実施形態を示す。
【図８】ある位置に無線装置が存在する状況において、その位置に向けられた検出を実行するための実施形態を示す。
【図９】ある位置に無線装置が存在する状況において、その位置に向けられた検出を実行するための実施形態を示す。
【図１０】いくつかの実施形態による装置のブロック図を示す。
【図１１】いくつかの実施形態による装置のブロック図を示す。
【発明を実施するための形態】
【００３５】
以下の実施形態は、例に過ぎない。本明細書は、いくつかの箇所で「一」実施形態と言及するが、これは、必ずしも、そのような言及の各々が同じ実施形態であること、またはその特徴が単一の実施形態にのみ適用されることを意味しない。異なる実施形態の単一の特徴を組み合わせて、他の実施形態を提供することもできる。さらに、「含む」という語は、記載された実施形態を、記載された特徴のみからなるように限定するものではないと理解されるべきであり、そのような実施形態は、具体的に記載されていない特徴／構造も含み得る。
【００３６】
実施例の説明および特許請求の範囲の両方における参照番号は、これらの実施例のみに限定することなく、図面を参照して実施例を説明するのに役立つ。
【００３７】
独立クレームの範囲に該当しない以下の説明に開示される実施形態及び特徴がある場合、それらは、本発明の様々な実施形態を理解するために有用な例として解釈されるべきである。
【００３８】
本発明の実施形態を適用することができる一般的な無線通信シナリオを図１に示す。図１は、複数のアクセスノード（ＡＮ）１００、１０１および無線端末局（ＳＴＡ）１１０を含む無線通信装置を示す。各ＡＮは、基本サービスセット（ＢＳＳ）に関連付けることができ、ＢＳＳは、ＩＥＥＥ８０２．１１無線ローカルエリアネットワーク（ＷＬＡＮ）の基本構成ブロックである。最も一般的なＢＳＳのタイプは、単一のＡＮと、そのＡＮに関連するすべてのＳＴＡとを含むインフラストラクチャＢＳＳである。ＡＮは、固定ＡＮであっても、モバイルＡＮであってもよい。ＡＮ１００、１０１は、例えばインターネット等の他のネットワークへのアクセスを提供することもできる。他の実施形態では、ＢＳＳは、例えば拡張サービスセット（ＥＳＳ）等を形成するために複数のＡＮを含んでもよく、ＡＮ１１０またはＡＮ１１２は、他のＡＮの同じＥＳＳに属し、同じサービスセット識別子（ＳＳＩＤ）を有してもよい。本発明の実施形態は、上述したＩＥＥＥ８０２．１１ベースのネットワークトポロジに関連して説明したが、本発明のこれらの実施形態または他の実施形態は、他の仕様に基づくネットワーク、例えば、異なるバージョンのＩＥＥＥ８０２．１１、ワイマックス（ＷｉＭＡＸ：Worldwide Interoperability for Microwave Access）、ＵＭＴＳＬＴＥ（ＵＭＴＳＬＴＥ：Long-term Evolution for Universal Mobile Telecommunication System）、第５世代携帯通信システム（５Ｇ）、および例えば伝送媒体感知機能、および異なる仕様および／または標準に基づく無線アクセスネットワークと共存するための適応性を有する他のコグニティブ無線機能を有するネットワークに適用可能である。いくつかの実施形態は、ＩＥＥＥ８０２．１９．１使用に定義された機能を有するネットワークに適用可能である。好適な通信システムの一例は、上述した５Ｇシステムである。いくつかの実施形態は、ライセンスされたおよび／またはライセンスされていない帯域で動作し得る。
【００３９】
無線通信システムは、センサレスセンシングにおいて使用され得る。センサレスセンシングでは、無線伝送およびその特性を使用して、例えば、対象物および対象物の位置、方向および姿勢の変化に起因して無線チャネル内で歪みを生じさせることができる。これらの歪みを測定することができ、これらの測定から、運動、対象物の位置、対象物の分類、対象物の識別、バイタルサインの測定および対象物の活動のような特徴を決定することができる。これらの歪みの測定において、例えばＣＳＩ（ＣＳＩ：Channel State Information）、またはＲＳＳ（ＲＳＳ：Received Signal Strength）、あるいはその両方を使用することができる。無線伝送は、例えば、電波、マイクロ波、赤外線、可視光、紫外線、Ｘ線、およびガンマ線等であり得る。様々な波は、例えば、カメラ、マイクロホン、並びに動き、温度、および酸素のための専用センサに使用することができる。
【００４０】
従来、無線通信システムの送信信号は、全方向に伝搬する。近年、マルチアンテナＡＮが使用されている。これらのマルチアンテナＡＮは、例えば、種々のビームフォーミング技術を利用する。これらの技術において、ＡＮとＳＴＡとの間の通信容量がビームフォーミングと空間ダイバーシティを用いて改善されるように個々のアンテナ素子の信号が操作される。ビームフォーミング技術を用いることによってＡＮとＳＴＡとの間に複数の空間直交通信を確立することができ、これにより容量を改善することができる。ビームフォーミングは無線ビームを全方向伝送の代わりに所望の方向に集束する機構として用いられる。無線ビームのパラメータは、例えば、ビーム方向およびビーム幅を決定するプリコーディング係数等によって定義される。プリコーディング係数は、無線装置、例えばＡＮの送受信アンテナにおける信号のゲインと位相の重みを定義するものであり、信号の送受信の両方に適用可能である。
【００４１】
アクセスノード１００、１０１は、ネットワーク管理システム（ＮＭＳ）１２０に接続され、このネットワーク管理システムは、ＡＮ１００、１０１を制御するように構成された装置を含み得る。ＮＭＳは、ＡＮを特定のエリアを検知するように構成することができる。ＮＭＳは、送受信ＡＮを決定する。一例のシナリオとして、企業のアクセスノードが全て同一のＮＭＳ１２０によって制御されている。一実施形態では、ネットワーク管理システム１２０は、アクセスノード１００などのアクセスノードのいずれか１つに含まれている。他の実施形態では、ネットワーク管理システムは、アクセスノードとは異なる装置、例えば、アクセスノードが有線または無線接続を介して接続できるサーバコンピュータによって実現される。さらに別の実施形態では、ネットワーク管理システムは、複数のアクセスノード、例えばアクセスノード１００、１０１が、関連する決定のために協働するネットワーク管理システム要素を有する分散システムとして実現される。ネットワーク管理システム要素は、各アクセスノードに統合することができる。
【００４２】
アクセスノード１００、１０１等およびＮＭＳ１２０は、エリア内で上述したセンシングを実行するように構成されたセンシングシステムに含まれていてもよい。センシングは、上述したように、ＳＴＡとの通信以外の目的で実施されてもよい。目的は、エリア内の所望の位置にある１つまたは複数の対象物をスキャンすること、または所望の位置にある１つまたは複数の物体を測定することであり得る。無線装置のためのチャネルまたは位置の従来のスキャンから本スキャンを区別する一つの特徴は、現在のスキャンでは対象物（例えば、人間または他の非電子的な対象物）がそれ自体で無線信号を放射しないことである。代わりに、対象物は、対象物の位置に放射されたおよび／または対象物の位置から受信された無線信号を、吸収、回折および／または分散によって歪める。これらの歪みは、位置から受信された無線信号から測定され、対象物の特性は、観測された歪みまたは歪みの勾配に基づいて計算される。
【００４３】
図２を参照して、位置に関する情報を取得するためのプロセスの一例を説明する。位置がＡＮ１００およびＡＮ１０１のサービスエリアにあり、ＳＴＡ１１０もそこにあると仮定する。このプロセスは、ＡＮ１００またはＡＮ１０１用の装置によって実行されるように、ＳＴＡからのチャネル測定信号を受信するステップ（ブロック２００）と、受信された測定信号に基づいて位置に対するプリコーディング係数を決定するステップ（ブロック２０２）、位置に関連付けられるプリコーディング係数を記憶するステップ（ブロック２０４）と、記憶したプリコーディング係数を利用して位置に関する情報を取得するステップとを含む。
【００４４】
図３を参照して、位置に関する情報を取得するためのプロセスの別の例を説明する。このプロセスは、ＮＭＳ内のコントローラのようなコントローラのための装置によって実行されるように、学習フェーズに入るステップ（ブロック３００）と、学習フェーズにおいて、ＳＴＡ１１０から測定信号を受信するためにＡＮ１００および／またはＡＮ１０１を制御するステップ（ブロック３０２）と、ＳＴＡ１１０から受信された測定信号に基づいて位置に対するプリコーディング係数を決定するためにＡＮ１００および／またはＡＮ１０１を制御するステップ（ブロック３０４）と、ＳＴＡ１１０の位置に関連付けられるプリコーディング係数を記憶するためにＡＮ１００および／またはＡＮ１０１を制御するステップ（ブロック３０６）と、センシングフェーズに入るステップ（ブロック３０８）と、センシングフェーズにおいて、位置に関する情報を取得するために記憶されたプリコーディング係数を利用するためにＡＮ１００および／またはＡＮ１０１を制御するステップ（ブロック３１０）とを含む。
【００４５】
上述した実施形態の利点は、所望の位置に集束された無線エネルギが位置に関する情報の精度を向上させることである。送信および／または受信ビームがその位置に集束されると、受信信号は、その位置における信号のより良い歪み、すなわちその位置における１つまたは複数の対象物の特性を表す。送信機と受信機の周りのすべての対象物が歪に影響する全方向送信および／または受信と比較して、より良い精度が達成できる。
【００４６】
図２および図３に関連して上述した位置は、プリコーディング係数に依存する大きさ、すなわち、位置を検出するために使用される無線ビームの特性を有する特定のエリアをカバーすると理解され得る。検出する無線ビームが対象位置で広い場合には、対象位置の面積も、無線ビームが狭い場合よりも大きくなる。いずれの場合も、その位置によってカバーされるエリアはゼロでないと理解することができる。エリアは、典型的には、システムによってカバーされるエリア内のサブエリアであり、サブエリアは、プリコーディング係数によって定義される。
【００４７】
図４は、ＡＮおよびＳＴＡがどのように特定の空間に配置され得るか、および位置に関する情報の取得がどのように行われ得るかに関する例示的な実施形態を示す。ここで、ＡＮA１００、１０１は、それらが一緒に決められたエリアをカバーするように配置され、そこにＳＴＡが配置され、対象物のスキャンが行われる。ＡＮとＳＴＡとが通信すると、ＡＮはエリア内の位置にあるＳＴＡから測定信号を受信する。測定信号は、チャネル特性を測定することができるパイロット信号または基準信号であってもよい。測定信号に基づいて、ＡＮは、チャネルを測定し、位置に対するプリコーディング係数を決定することができ、したがって、無線ビームをその特定の位置に向けることができる。受信された測定信号からのプリコーディング係数の正確な計算は、最新技術のチャネル推定方法を使用して行うことができる。ＳＴＡは測定信号を１つのＡＮまたは複数のＡＮに送ることができる。プリコーディング係数が決定されると、ＡＮはプリコーディング係数をＳＴＡの位置と関連させる。
【００４８】
測定信号を送信するときのＳＴＡの位置は、例えば、受信された測定信号から信号強度および到来角を測定することによって、ＡＮによって決定することができる。これらのパラメータおよびＡＮの位置を使用することによって、ＡＮまたはＮＭＳは、ＳＴＡの位置を推定することができる。別の実施形態では、ＳＴＡは、ＳＴＡの位置を決定するためにＳＴＡで使用することができるＧＰＳ（ＧＰＳ：Global Positioning System）受信機または磁力計などの測位システムを含むことができる。その後、位置情報は、測定信号に関連してＡＮに送られてもよい。さらに別の実施形態では、外部測位システムが、所定の時間におけるＳＴＡの位置決めのために使用されてもよい。異なる技術に基づく多数の異なる測位システムが存在し、それらのうちの任意のものを学習フェーズで使用することができる。ＳＴＡの位置は、測定信号が特定の位置で特定の時間に送信されるように予め決定することもできる。プリコーディング係数の測定は、ＳＴＡ１１０の複数の位置について、および／または他のＳＴＡ１１１、１１２について繰り返されてもよい。最終結果は、プリコーディング係数が検出するエリアで使用できるように、エリア内の複数の位置およびＡＮのセットにマッピングされた無線マップである。
【００４９】
学習フェーズは、プリコーディング係数が計算された位置によってエリアが実質的にカバーされるように、すなわち、エリアの少なくとも所望の位置またはサブエリアがカバーされるように、無線マップが実質的にエリアをカバーするように実行されることが有利である。図４は、複数のサブエリア１３０〜１３３を有するエリアを示しており、例えば、全てのサブエリア１３０〜１３３に対して学習フェーズを実施してもよい。ただし、学習フェーズではエリア全体をカバーする必要はなく、特定の対象エリアのみをカバーするだけで十分な場合もあり得る。
【００５０】
ここで、エリア内の十分な数の位置についてマッピングが実行されるようにトレーニングフェーズを実行するいくつかの実施形態を説明する。この無線マップを生成するための一例は、そのエリアを横切って移動することが知られている装置、例えばロボット掃除機に含まれるＳＴＡを使用する。現在のロボット掃除機には、ＡＮ１００、１０１に接続可能なＷｉ―Ｆｉ  ＳＴＡが含む。ロボット掃除機は、エリア全体をカバーする所定の経路を記憶して移動することが知られている。特定の位置間隔で、ロボット掃除機は、ＡＮに測定信号を送るように構成されてもよい。経路および送信間隔は、各測定信号の受信時にＳＴＡの位置がＡＮに知られるようにＡＮおよびＳＴＡに記憶されてもよく、位置情報の送信を必要としなくてもよい。ＡＮは、測定された信号およびプリコーディング係数を所定の位置に関連づける。位置に関連づけられたこれらのプリコーディング係数は、ＡＮまたはＮＭＳのいずれかに記憶することができる。加えて、マップは、特定の位置で使用される優先ＡＮのセットを示すことができる。別の実施形態では、ＡＮはＳＴＡの動きを検出し、異なる位置で測定信号を送信するようにＳＴＡに要求することができる。
【００５１】
別の実施形態では、ＳＴＡの動作パターンを使用し、学習フェーズに使用することができる。例えば、ＳＴＡが携帯電話であることが知られており、携帯電話のユーザが毎晩寝室のテーブルに携帯電話を置く習慣がある場合、そのような情報を使用して、寝室のテーブルの位置に対するプリコーディング係数の測定をトリガすることができる。
【００５２】
図５は、ＡＮが学習フェーズ中に無線マップを生成する実施形態のシグナリング図を示す。ＡＮ１００とＳＴＡ１１０との通信中、ＡＮ１００は、ＳＴＡから受信した測定信号に基づいてプリコーディング係数を決定する（ステップ５００）。ステップ５００は、パイロット信号または基準信号をＡＮ１００に送信するＳＴＡ１１０と、信号を測定し、測定された信号に基づいてプリコーディング係数を決定するＡＮ１００とを含むことができる。別の実施形態では、ステップ５００は、パイロット信号または測定信号をＳＴＡ１１０に送信するＡＮ１００と、信号を測定してチャネル状態情報（ＣＳＩ）を決定するＳＴＡとを含む。ＣＳＩは、チャネル行列、または、一般に、プリコーディング係数の決定を可能にする情報を含み得る。次に、ＳＴＡ１１０は、ステップ５００でＣＳＩをＡＮ１００に送信し、ＡＮ１００は、受信されたＣＳＩからプリコーディング係数を計算することができる。さらに別の実施形態では、ＳＴＡ１１０は、ステップ５００でプリコーディング係数を計算してＡＮに送信することができる。したがって、実施形態に応じて、上述のチャネル測定信号は、パイロット信号／基準信号またはＣＳＩであり得る。
【００５３】
ＳＴＡはまた、その位置情報をＡＮに送信してもよく（ステップ５０８）、またはＡＮはＮＭＳからそれを取得してもよく（ステップ５０６、５１０）、またはＡＮは上述のように別の測位システムまたは機構を使用してもよい。ＡＮに位置情報を提供した後、ＡＮは、計算されたプリコーディング係数に関連付けられた位置情報を記憶する（ブロック５１２）。一実施形態では、ＮＭＳ１２０にプリコーディング係数が記憶されるか、少なくともプリコーディング係数がマッピングされた位置に関する情報をＮＭＳ１２０に記憶して、ＮＭＳがその位置をスキャンする能力を認識するようにする。
【００５４】
プリコーディング係数の計算は、ステップ５００において、ＡＮ１００とＳＴＡ１１０との間のデータ伝送（ステップ５０２、５０４）に関連して計算されてもよい。この場合、プリコーディング係数は、データフレーム（ステップ５０２）の伝送ビームをＳＴＡ１１０に向けることと、別の目的、すなわち、センシングフェーズがトリガされるときの位置をセンシングすることのために、プリコーディング係数をＳＴＡの位置にマッピングすることとの二重の目的を有してもよい。他の実施形態では、プリコーディング係数の計算は、ＡＮ１００とＳＴＡ１１０との間で意図されたデータ伝送がない状況で実行されてもよく、次いで、ステップ５０２および５０４は、学習フェーズ中に省略されてもよい。
【００５５】
同様に、システムの他のアクセスノード１０１は、５００から５１２と同様のステップを実行することができる。例えば、ＡＮ１０１は、ステップ５００から５１２に対応するステップ５１４から５２６を実行することができる。上述のように、プリコーディング係数の計算および記憶は、センシングのための十分なカバレージを獲得するために、各ＡＮにおいて複数の位置について繰り返される。
【００５６】
位置が対応するプリコーディング係数にマッピングされると、センシングシステムは位置をスキャンする準備ができる。図６は、いくつかの実施形態が適用され得る無線システムの例を示す。図６において、ＮＭＳ１２０または別のコントローラは、ある位置にＳＴＡが存在しない場合、または少なくともＡＮ１００、１０１と通信するＳＴＡが存在しない場合に、特定の位置から情報を取得するようにＡＮ１００、１０１を制御する。図６に示すように、人、動物、家具などの対象物１１３がその位置に存在してもよい。ＮＭＳ１２０は、例えば、その位置にある１つまたは複数の対象物に関する情報を要求するアプリケーションサーバまたは別の装置からその場所をスキャンする要求を受信した場合に、その場所の検出を開始してもよい。別の実施形態では、ＮＭＳは、位置からの測定データを処理し、測定データに対してアプリケーションレベルの分析を実行、例えば、対象物の識別、対象物の運動の決定、対象物からのバイタルサインの分析を実行するアプリケーション層を含むことができる。位置は、要求に基づいて選択されてもよい。例えば、ＡＮは、警報システムの一部として、１つまたは複数の位置を定期的に監視するように構成されてもよい。警報システムは、火災警報システム、セキュリティ警報システム等であってもよい。センシングシステムはまた、一例として、異なるタイプのエリアおよび／またはエリアのサイズをスキャンすることができる。システムは、一例として、センシング目的にも使用される無線通信システムが動作しているアパートまたはオフィス空間のようなより広い対象エリアから情報を取得するようにＡＮ１００、１０１を最初に構成することができる。このような構成で取得された情報は、一例として、ＮＭＳ１２０に、そのより広いエリア内の１つまたは複数の場所に対するセンシングをトリガさせるために、センシングシステムによって使用されてもよい。したがって、コントローラまたはＮＭＳは、最初に、対応するプリコーディング係数を用いて、より広いエリアのセンシングをトリガし、そのセンシングに基づいて取得された測定データを分析することができる。分析に基づいてある事象を検出すると、コントローラは、次に、より広いエリアのサブエリアを選択し、アクセスノードを制御して、対応するプリコーディング係数でサブエリアを測定することができる。明らかに、異なるプリコーディング係数は、異なる位置サイズに関連付けられ得る。
【００５７】
センシングフェーズを開始すると、ＮＭＳ１２０は、ＡＮ１００、１０１のうち、どのＡＮが送信ＡＮであり、どのＡＮ１００、１０１が受信ＡＮであるかを決定する。その後、ＮＭＳ１２０は、その位置についてセンシングを実行するようにＡＮに命令することができる。命令は、位置を識別する情報要素を含むことができる。この命令を受信すると、送受信ＡＮは、例えば、ＮＭＳや各ＡＮの内部メモリから、その位置に対するプリコーディング係数を取得する。このプリコーディング係数を送受信機に設定する。プリコーディング係数を用いて、ビームの方向をその位置に集束できる。送信ＡＮは、対象物１１３がその位置に存在すれば、対象物１１３による歪みを受けた位置測定信号を送信する。受信ＡＮは、歪み信号を測定し、測定信号をＮＭＳに送信する。ＮＭＳは、測定信号を分析し、分析に基づいて対象物の少なくとも１つのパラメータを決定することができる。パラメータは、例えば、対象物の識別子、対象物の動き、または対象物のバイタルサインとすることができる。
【００５８】
図７は、ＳＴＡが存在しないときに、ＡＮが特定の位置を検出している場合のシグナリングを示す。ＮＭＳは、ブロック７００において、例えば、ＮＭＳのアプリケーション層動作の一部として、または位置測定データを処理するアプリケーションから要求を受信したときに、検出を開始する。ステップ７０２および７０４において、ＮＭＳは、ＡＮ１００、１０１に特定の位置を検出するように指示するメッセージを送信する。位置はメッセージで識別される。また、ＮＭＳは、ステップ７０２において、ＡＮ１００が送信ＡＮであることを示し、ステップ７０４において、ＡＮ１０１が受信ＡＮであることを示してもよい。ＡＮ１００、１０１は、メッセージおよび検出すべき位置に関する情報（ブロック７０６、７０８）に従って、プリコーディング係数を設定する。ＡＮ１００は、対象物１１３が位置する位置にマッピングされたプリコーディング係数を有する位置測定信号を送信することによって送信を開始し、したがって位置測定信号をその位置に向ける。一方、ＡＮ１０１は、位置にマッピングされたプリコーディング係数を用いて受信ビームをその位置に位置合わせし、受信感度をその位置に集中させる。このようにして、位置測定信号は、ＡＮ１００のアンテナからその位置に移動し、対象物１１３によって歪められ、ＡＮ１０１のアンテナに移動する（ステップ７１０）。ＡＮ１００によってその位置に送信された位置測定信号を受信すると、ＡＮ１０１は、その信号を測定し、測定結果をＮＭＳ（ステップ７１２）に送信することができる。次に、ＮＭＳは測定信号の処理を開始する（ブロック７１４）。
【００５９】
ＡＮ１００またはＡＮ１０１が全二重通信可能な実施形態では、ＡＮは、他のＡＮの助けを借りずに単独でこの手順を実行することができる。このような場合、ＮＭＳ１２０は、その位置との間で無線信号の送受信を実行するようにＡＮを制御することができる。ＡＮは、位置にマッピングされた同じプリコーディング係数を用いて送信と受信の両方を構成し、位置との間で自身によって送信された信号を受信することができる。
【００６０】
図６および図７の実施形態は、位置にＳＴＡが存在しない状況における位置の検出を可能にする。その位置にあるＳＴＡまたは他の無線送信機は、ＡＮによる送信で使用される準最適プリコーディング係数の影響が低減されるという意味で、センシングを改善することができる。ＳＴＡによって送信される無線信号はその位置で生成されるので、無線信号は最初にその位置に移動し、その位置への経路で歪む必要はない。送信ＳＴＡはまた、対象位置の近くに位置することもある。ＳＴＡが対象位置に近い位置から信号を送信するとき、信号はＳＴＡから測定／受信ＡＮへの経路の間に歪を受ける可能性があるが、歪は対象位置から遠く離れたＡＮが対象位置へ無線信号を送信する場合よりも小さい可能性がある。ＮＭＳ１２０はＳＴＡの位置を監視することができ、また、ＮＭＳ１２０は、センシングを実行しなければならない所望の位置または十分にその位置へ近い位置で特定のＳＴＡを検出すると、１つまたは複数のＡＮ１００、１０１を構成して、ＳＴＡから受信した信号を測定することができる。この手順は,図７のステップ７００、７０４、７０６、７１０から７１４までにステップ７１０で位置測定信号をＳＴＡから受信することを変更して用いることができる。ステップ７１０のＡＮ１００について同様に、ステップ７０２および７０８を省略することができる。ＮＭＳ１２０は、ステップ７０４において、ＳＴＡをＡＮ１０１に指示することができる。ＳＴＡは測定を行うためにＡＮ１０１に接続され、関連付けられる必要はなく、ＡＮ１０１は設定されたプリコーディング係数を用いてＳＴＡによって送信された信号を受信し測定する。ＳＴＡが位置に十分に近接している場合の決定は、実装に依存し、位置への十分な近接を定義する１つまたは複数の閾値またはルールを設定することによって定義することができる。
【００６１】
図８は、装置が所望の位置に配置される別の例を示す。装置は、位置に配置された静的センサ装置であってもよい。
【００６２】
８０２．１１ワークグループにおける開発は、ウェイクアップ無線（ＷＵＲ）と呼ばれる新しい低電力無線インタフェースの導入を含む。新無線インタフェースの目的の一つは、８０２．１１仕様のデータ通信に使用するメイン無線（プライマリ接続無線とも呼ばれる）インタフェースをオフにすることにより、更なる省電力化を可能にすることである。低電力無線インタフェースは、ウェイクアップ無線（ＷＵＲ）受信機または低電力ＷＵＲ（ＬＰ―ＷＵＲ）受信機と呼ばれ、プライマリ接続を提供するメイン無線インタフェースのコンパニオン無線と見なされる。ＳＴＡまたはアクセスノードのような無線デバイスは、ＷＵＲおよびメイン８０２．１１インタフェースの両方を含むことができる。アクセスノードは、ウェイクアップ送信機とメイン８０２．１１インタフェースとを含むことができる。ウェイクアップ無線インタフェースの目的は、アクセスノードまたは他のステーションがドージングステーションに送信すべきデータを有する場合に、ドージングステーションのメイン無線インタフェースを起動することのみ、または主に目的とすることが提案されている。
【００６３】
ウェイクアップ無線インタフェースは、メイン無線インタフェースよりも消費電力が少ないように設計されてもよい。ウェイクアップ無線インタフェースは、メイン無線インタフェースよりも単純な変調方式を採用してもよく、例えば、ウェイクアップ無線インタフェースは、オンオフキーイング（ＯＯＫ）のみを使用してもよく、メイン無線インタフェースは、位相シフトキーイング（ＰＳＫ）および（直交）振幅変調（ＱＡＭ）などの可変変調方式を使用する。
【００６４】
ウェイクアップ無線インタフェースの主な目的は、メイン無線インタフェースを起動させることであるため、ウェイクアップ無線インタフェースは、メイン無線インタフェースの電源がオフにされたときに電源がオンにされてもよい。ＳＴＡのウェイクアップ無線インタフェースは、アクセスノードまたは他のＳＴＡのウェイクアップ無線インタフェースによって送信されたウェイクアップ信号（ＷＵＳ）またはウェイクアップフレーム（ＷＵＦ）を受信し、抽出するように構成することができる。ＳＴＡのウェイクアップ無線インタフェースは、メイン無線インタフェースの助けを借りずに自身でウェイクアップ無線フレームを複合することができる。したがって、ウェイクアップ無線インタフェースは、無線周波数フロントエンド受信機コンポーネントに加えて、デジタルベースバンド受信機コンポーネントおよびウェイクアップ無線フレームの内容を復号することができるフレーム抽出プロセッサとを含むことができる。ウェイクアップ無線フレームは、メイン無線インタフェースを起動すべきＳＴＡを示す宛先アドレスフィールドを含むことができ、フレーム抽出プロセッサは、受信されたウェイクアップ無線フレームから宛先アドレスの復号を行い、宛先アドレスがフレーム抽出プロセッサのＳＴＡのアドレスであるか否かを判定することができる。「はい」の場合、ウェイクアップ信号を出力して、アクセスノードとの無線通信のためにメイン無線インタフェースを起動させることができる。
【００６５】
図８および図９の実施形態では、そのようなＷＵＲ装置１１４をその位置に配置することができる。同様の装置をエリア内の他の位置に配置してもよい。上述の学習フェーズは、ＷＵＲ装置がその場所に設置されている場合に、ＷＵＲ装置を用いて実施することができる。したがって、ＷＵＲ装置１１４は、上述したＳＴＡの一実施形態である。
【００６６】
図８において、ＮＭＳは、ＷＵＲ装置が位置する特定の位置からの情報の取得を制御することができる。この場合、ＷＵＲ装置はその位置にあり、ＡＮによって測定可能な無線信号を送信することができるので、センシングに必要なＡＮは１つだけである。しかしながら、複数のＡＮは、本実施形態および上述の実施形態における位置から無線信号を受信するように構成することができる。このようなマルチレシーバ技術は、位置からより多くの測定データを提供し、従って、測定データに基づいて決定される対象物の分析されたパラメータの精度を向上させる。
【００６７】
図８の実施形態では、同じＡＮ１００が、ＷＵＲ装置１１４を起動するウェイクアップ信号を送信し、ＷＵＲ装置１１４がＡＮ１００によって起動する位置測定信号を受信するように構成されてもよい。ウェイクアップ信号は、ＷＵＲ装置の位置にマッピングされたプリコーディング係数を使用して送信されてもよく、または全方向送信を使用してもよい。ウェイクアップ信号を送信すると、ＡＮ１００は、ＷＵＲ装置１１４の位置にマッピングされたプリコーディング係数を使用して位置測定信号を受信する受信モードに切り替えることができる。
【００６８】
図９は、ＳＴＡが存在するときに、ＡＮが特定の位置をセンシングする場合のシグナリングを示す。ＮＭＳは、センシングをトリガする決定されたイベント（ブロック９００）を検出し、ＷＵＲ装置が存在する特定の位置を感知するために１つまたは複数のＡＮ１００、１０１にメッセージに送信することによって、センシングを開始する。メッセージは、１つのアクセスノード、例えばＡＮ１００にのみ送信されてもよいが、位置に関するより多くの測定データを取得するために１つまたは複数の他のアクセスノードに送信されてもよい。ＮＭＳは、例えば、ＷＵＲ装置１１４の識別子によって、メッセージ内のＷＵＲ装置を示してもよく、またはＡＮは、そのエリア内のＷＵＲ装置の位置に関する情報を記憶してもよい。メッセージ内の位置情報を受信すると、ＡＮはその位置にあるＷＵＲ装置を決定することができる。ＡＮ１００、１０１は、メッセージに従ってプリコーディング係数を設定する（ブロック９０６および９０８）。
【００６９】
ステップ９１０において、ＡＮ１００は、ウェイクアップ信号をＷＵＲ装置１１４に送信する。ウェイクアップ信号は、そのエリア内の複数のＷＵＲ装置のうちのＷＵＲ装置のみがウェイクアップするように、ＷＵＲ装置１１４に固有の波形または識別子を含むことができる。ウェイクアップ信号を受信すると、ＷＵＲ装置１１４は、ステップ９１２においてそのメイン無線インタフェースが位置測定信号を送信することを可能にする。一方、ＡＮ１００、１０１は、プリコーディング係数を使用してＷＵＲ装置の位置に向けて受信機を同調させ、その結果、ステップ９１２において位置測定信号をＡＮ１００、１０１が受信される。測定信号を受信すると、測定信号から取得された測定データは、分析のためにＮＭＳ１２０に送られ（ステップ９１４）、ＮＭＳは、測定データの分析を実行する（ブロック９１６）。
【００７０】
図９では、破線はオプションのステップを示し、すなわち、測定データを受信するための複数のＡＮの使用はオプションの機能である。しかし、一実施形態では、一方のＡＮがウェイクアップ信号を送信し、他方のＡＮが位置測定信号を受信してもよい。両方のＡＮは、送受信におけるＷＵＲ装置１１４の位置にマッピングされたプリコーディング係数を使用することができる。
【００７１】
上記では、ＮＭＳまたは別のコントローラがセンシングフェーズをトリガするいくつかの実施形態について説明した。他の実施形態では、アクセスノードは、対象位置を規則的に、例えば定期的に感知するように構成される。ＡＮは、各位置に対するセンシングの周期性および送受信の役割について一致してもよく、または、ＮＭＳ／コントローラが構成を行ってもよい。従って、センシングは、エリア内に位置するＡＮとＳＴＡとの間の通常の通信の間に行われるように、ＡＮの通常の動作の間に行われてもよい。
【００７２】
図１０は、図２のプロセスにおける機能を実行する装置、または対象位置を検出するための上述の実施形態のいずれかにおける機能を実行する装置の上述の機能の構造の実施形態を示す。図１０に示される無線装置は、アクセスノード１００または１０１であり得る。別の実施形態では、図２のプロセスを実行する装置またはその実施形態のいずれかは、そのような無線装置に含まれ、例えば、装置は、チップ、チップセット、プロセッサ、マイクロコントローラ、またはＡＮ１００またはＡＮ１０１におけるそのような回路の組合せなどの回路を含むことができる。装置は、無線装置の一部の実施形態を実現するための電子回路を含む電子デバイスであり得る。
【００７３】
図１０を参照すると、装置は、無線インタフェースを介してステーションと双方向通信する能力を装置に提供するように構成された第一の通信インタフェース２２または通信回路を含むことができる。通信インタフェース２２は、受信された制御フレームおよびデータフレームを処理するための無線周波数回路、ならびに送信される制御フレームおよびデータフレームを含むことができる。通信インタフェース２２は、アンテナアレイ、増幅器、フィルタ、周波数変換器、およびエンコーダ／デコーダ回路などの標準的な周知の構成要素を含むことができる。通信インタフェース２２は、例えば、ステップ２００、２０２、２０４および２０６に関連して上述したメッセージを処理するための回路を含むことができる。
【００７４】
装置は、他のネットワーク、例えばインターネットまたは他のコンピュータネットワークとの双方向通信機能を装置に提供するように構成された第二の通信インタフェース３０または通信回路をさらに備えてもよい。いくつかの実施形態では、通信インタフェース３０は、ＮＭＳ１２０との通信に使用される。他の実施形態では、アクセスノードは、通信インタフェース２２を通って無線インタフェースを介してＮＭＳ１２０と通信する。通信インタフェース３０は、増幅器、フィルタ、およびエンコーダ／デコーダ回路などの標準的な周知の構成要素を含むことができる。
【００７５】
装置は、装置の少なくとも１つの通信コントローラ１０の動作を構成する１つまたは複数のコンピュータプログラム製品２４を記憶するメモリ２０をさらに含むことができる。メモリ２０は、装置の動作構成、例えば、学習フェーズで複数の位置のそれぞれにマッピングされたプリコーディング係数を記憶する構成データベース２６をさらに記憶してもよい。
【００７６】
装置は、図２またはその実施形態のいずれかのプロセスの実行を制御するように構成された少なくとも１つの通信コントローラ１０をさらに含むことができる。通信コントローラは、アクセスノードによって実行される通信を制御することができ、加えて、通信に使用されるのと同じ回路を使用して実行されるセンシングを制御することができる。図１０を参照すると、通信コントローラ１０は、モードコントローラ１２を含む。モードコントローラ１２は、アクセスノードが、通信を実行する目的ためにＳＴＡと、およびオプションとして、他のアクセスノードと無線信号を送受信する通信モードで動作するようにＡＮを構成する。モードコントローラは、さらに、上述のように、アクセスノードがセンサとして動作し、決定された対象位置で無線周波数測定を実行するセンシングモードで動作するようにＡＮを構成することができる。モードコントローラ１２は、プリコーダ回路１４が、複数の位置のプリコーディング係数を計算し、構成データベース２６内の複数の位置のそれぞれにマッピングされたプリコーディング係数を記憶するために使用される学習フェーズの実行を制御することができる。プリコーダ回路１４は、受信されたチャネル測定信号に従ってプリコーディング係数を計算することができる。センシングモードでは、モードコントローラ１２は、上述したように、対象位置からの位置測定信号の受信において、対象位置にマッピングされたプリコーディング係数を使用するようにプリコーダを構成することができる。測定データプロセッサ１６は、受信された位置測定信号を処理し、インタフェース２２または３０を介してＮＭＳへの位置測定データの送信を制御することができる。
【００７７】
図１１は、例えば、ネットワーク管理システムに含まれ得るコントローラの機能を実行する装置の上述の機能の構造の実施形態を示す。装置は、図３または上述の実施形態のいずれか１つのプロセスの実行を制御することができる。装置は、アクセスノードとの双方向通信機能を装置に提供するように構成された通信インタフェース５２または通信回路を含み得る。通信インタフェース５２は、アクセスノードとの有線または無線接続を実現するための増幅器、フィルタ、およびエンコーダ／デコーダ回路などの標準的な周知の構成要素を含むことができる。
【００７８】
装置は、装置の少なくとも１つのプロセッサ５６またはコントローラ５０の動作を構成する１つまたは複数のコンピュータプログラム製品４４を記憶するメモリ４２をさらに含むことができる。メモリ４２は、さらに、装置の動作構成、例えば、センシングに適した位置、及び任意選択的に各位置のプリコーディング係数を記憶する構成データベース４６を記憶してもよい。
【００７９】
本装置は、センシングアプリケーションを実行するように構成されたアプリケーションプロセッサ５６をさらに備えてもよく、このセンシングアプリケーションでは、１つまたは複数の位置に関連付けられた位置測定データが分析される。アプリケーションプロセッサは、位置測定データの分析を実行し、分析に基づいてアクションをトリガするように構成されてもよい（例えばアラームをセットする等）。アプリケーションプロセッサは、さらに、エリア内の１つまたは複数の位置についての学習フェーズ、または、プリコーディング係数が決定されたが更新が必要である１つまたは複数の位置についてのプリコーディング係数の更新をトリガすることができる。アプリケーションプロセッサは、上述のように、１つまたは複数の位置について、センシングフェーズの開始をさらにトリガすることができる。アプリケーションプロセッサ５６は、センシングの目的に専用であってもよく、例えば、アクセスノードのネットワークを管理していたり、ネットワーク内で通信していたりする部分を有していなくてもよい。
【００８０】
本装置は、上記の実施形態のいずれかに従って学習フェーズおよびセンシングフェーズを実行するようにＡＮを構成するコントローラ５０をさらに備えることができる。コントローラ５０は、少なくとも学習モードとセンシングモードとの間の切り替えを制御するように構成されたモードコントローラ５２を含むことができる。次に、モードコントローラ５２は、アクセスノード制御を制御して、それぞれの学習フェーズおよびセンシングフェーズに関連して上述した対応するアクセスノード制御動作を実行することができる。モードコントローラが１つまたは複数の位置について学習フェーズをトリガするとき、アクセスノードコントローラは、１つまたは複数の位置についてプリコーディング係数を取得または更新するようにアクセスノードを制御することができる。モードコントローラがある位置についてのセンシングフェーズをトリガするとき、アクセスノードコントローラは、上述のように、その位置についてのセンシングを実行するためにその位置にマッピングされたプリコーディング係数を使用するようにアクセスノードを制御することができる。センシングフェーズ中に、アクセスノードが測定データを装置に送信すると、装置は通信インタフェース５２を介して測定データを受信し、アプリケーションプロセッサ５６は上記のように測定データを処理することができる。
【００８１】
本出願で使用されるように、「回路」という用語は、以下の１つまたは複数を指す。（ａ）アナログ回路および／またはデジタル回路のみにおける実装などのハードウェアのみの回路実装。（ｂ）ソフトウェアおよび／またはファームウェアおよび回路の組み合わせであって、（該当する場合）（ｉ）プロセッサまたはプロセッサコアの組み合わせ、または（ｉｉ）装置に特定の機能を実行させるために協働するデジタル信号プロセッサ、ソフトウェア及び少なくとも１つのメモリを含むプロセッサ／ソフトウェアの部分。（ｃ）マイクロプロセッサまたはマイクロプロセッサの一部など、ソフトウェアまたはファームウェアが物理的に存在しない場合でも、動作にソフトウェアまたはファームウェアを必要とする回路。
【００８２】
「回路」のこの定義は、本出願におけるこの用語の使用に適用される。更なる例として、本出願で使用されるように、用語「回路」は、単一のプロセッサ（あるいは複数のプロセッサ）またはプロセッサの一部、例えばマルチコアプロセッサの１つのコア、およびソフトウェアおよび／またはファームウェアに付随するその（またはそれらの）の実装をもカバーする。用語「回路」はまた、例えば、適用可能であれば、本発明の一実施形態による装置用のベースバンド集積回路、特定用途向け集積回路（ＡＳＩＣ）、および／またはフィールドプログラマブルグリッドアレイ（ＦＰＧＡ）回路を含む。図２〜９に記載されるプロセスまたは方法はまた、１つまたは複数のコンピュータプログラムによって定義される１つまたは複数のコンピュータプロセスの形態で実行されてもよい。図に関連して説明したプロセスの機能を実行する１つまたは複数の装置内に、別個のコンピュータプログラムを設けることができる。コンピュータプログラムは、ソースコード形式、オブジェクトコード形式、または何らかの中間形式であってもよく、プログラムを運ぶことができる任意のエンティティまたは装置であってもよい何らかの種類のキャリアに格納されてもよい。そのようなキャリアは、一時的および／または非一時的コンピュータ媒体、例えば、記録媒体、コンピュータメモリ、読み出し専用メモリ、電気キャリア信号、電気通信信号、およびソフトウェア配布パッケージを含む。必要とされるプロセス能力に応じて、コンピュータプログラムは、単一の電子デジタルプロセスユニット内で実行されてもよいし、複数のプロセスユニットに分散されてもよい。
【００８３】
本明細書に記載する実施形態は、上述した無線ネットワークだけでなく、他の無線ネットワークにも適用可能である。使用されるプロトコル、無線ネットワークの仕様、およびそれらのネットワーク要素は急速に発展する。そのような開発は、記載された実施形態に対する追加の変更を必要とすることがある。したがって、全ての単語および表現は、広く解釈されるべきであり、それらは、実施形態を制限するものではなく、例示するものである。技術が進歩するにつれて、本発明の概念を様々な方法で実施することができることは、当業者には明らかであろう。実施形態は、上述の実施例に限定されるものではなく、特許請求の範囲内で変更可能である。
【図１】
0006945756.tif 000002
【図２】
0006945756.tif 000003
【図３】
0006945756.tif 000004
【図４】
0006945756.tif 000005
【図５】
0006945756.tif 000006
【図６】
0006945756.tif 000007
【図７】
0006945756.tif 000008
【図８】
0006945756.tif 000009
【図９】
0006945756.tif 000010
【図１０】
0006945756.tif 000011
【図１１】
0006945756.tif 000012